(57)【要約】【課題】  網ベルトのフィルタ面の微細なリントを十分に除去することができるリント除去装置を提供する。【解決手段】  回転ドラム５の空気に含まれるリント等の綿ぼこりを除去する網目状のフィルタ面２４ａを有する網ベルト２４を備えたフィルタ装置３０を前記回転ドラム５の下流側に配置して前記フィルタ面２４ａを通過するように空気通路を形成すると共に、周面にブラシ毛６１を立設した回転ブラシ６０を前記網ベルト２４のフィルタ面２４ａに当接した状態で高速回転させ、前記フィルタ面２４ａのほこりを掻き落として除去するように構成した。【選択図】  図１
2006271829.tif 000002
【特許請求の範囲】
【請求項１】
周壁に多数の貫通孔が形成された多孔板からなる回転ドラムに洗濯された衣類を投入して回転させるとともに、回転ドラムの空気通路の出口に配置したファンを回転させて、ヒータからの温かい空気を多数の貫通孔から回転ドラムを通過させて衣類の乾燥を行う乾燥機において、
前記回転ドラムの空気に含まれるリント等の綿ぼこりを除去する網目状のフィルタ面を有する網ベルトを備えたフィルタ装置を前記回転ドラムの下流側に配置して前記フィルタ面を通過するように空気通路を形成すると共に、周面にブラシ毛を立設した回転ブラシを前記網ベルトのフィルタ面に当接した状態で高速回転させ、前記フィルタ面のほこりを掻き落として除去するようにしたことを特徴とするリント除去装置。
【請求項２】
前記フィルタ装置は、網ベルトの幅方向の両側に長手方向に沿ってガイド部材を所定間隔に設けるとともに、前記網ベルトの走行路の一部において前記網ベルトの下面に前記フィルタ面を通過するように多数の貫通孔が設けられて前記回転ドラムの下流側に空気通路を形成する通気板を有するフィルタ支持体を配置し、該フィルタ支持体の前記通気板の両端または両端近傍に前記ガイド部材を当接または遊嵌して案内支持するガイドレールを設けて、前記通気板上において前記網ベルトが下面を通気板に支持されて前記フィルタ面を安定させて走行するように構成した請求項１に記載のリント除去装置。
【請求項３】
前記フィルタ装置は、無端の網ベルトと、一対の枠体間を駆動ローラを含む複数のロ−ラで連結してなる多角柱の骨組み体とからなり、前記骨組み体の前記各ロ−ラの回転面に前記網ベルトの内側を巻き掛けて前記網ベルトを前記骨組み体に装着して、前記一対の枠体間に前記網ベルトによる可動のフィルタ面が設置されるように一体化してカセット化し、このカセット化した前記フィルタ装置を前記回転ドラムの下流側に着脱可能に配置した請求項２に記載のリント除去装置。
【請求項４】
前記フィルタ装置は前記網ベルトの幅方向の両側にガイド部材を長手方向に沿って所定間隔に設けるとともに、前記一対の枠体のそれぞれに前記ガイド部材を当接または遊嵌して案内するガイドレールを形成した請求項３に記載のリント除去装置。
【請求項５】
前記フィルタ装置は、前記駆動ローラの中央部が端部より大径の太鼓状に形成した請求項３に記載のリント除去装置。
【請求項６】
前記フィルタ支持体は前記回転ドラムの下流側に固定され、カセット化した前記フィルタ装置が前記フィルタ支持体に着脱可能に固定された請求項３に記載のリント除去装置。
【請求項７】
前記回転ブラシは複数のブラシ毛を回転ロールの直径方向に束ねて貫通させて前記回転ロールの周面に立設させてなるブラシ部を、軸方向に所定間隔に周面から蛇行して複数個所設けて形成した請求項１に記載のリント除去装置。
【発明の詳細な説明】
【技術分野】
【０００１】
本発明は、洗濯された衣類を回転ドラム式乾燥機に投入して乾燥させるときに、乾燥機から発生するリント、ゴミ等を含む綿ぼこりを除去するリント除去装置に関するものである。
【背景技術】
【０００２】
この種のリント除去装置としては、空気通路の下流に排湿ファンを有し、該空気通路に空気に含まれるリント等の綿ぼこりを除去するフィルタ部材を配した乾燥機のリント除去装置において、一端が前記フィルタ部材が除去したリント等の綿ぼこりを吸引するバキューム部材をフィルタ部材に向って開口し他端がフィルタ部材の位置よりも下流側の空気通路に開口する綿ぼこり捕集空気通路と、綿ぼこり捕集空気通路に介装した綿ぼこり捕集部材とを有し、前記フィルタ部材と綿ぼこり捕集空気通路の吸引口の少くとも何れか１つを相対移動可能とした構成のものが知られている。（特許文献１参照）
【０００３】
前記リント除去装置は、乾燥機の空気出口に無端の網ベルトを横設し、バキューム口を網ベルト上へ開口した。駆動ローラを回動すると排気ダクトを横切って網ベルトは移動し、網ベルト上のリントは、バキューム口へ吸込まれる。バキューム口から吸込まれた排気はリント捕集袋でリントを除去され、空気吸引管をとおり排湿ファンの吸込口へ出て、排気ダクトをとおる排気と合流して排出される。したがって、網ベルトが常に清掃されており、通気抵抗が大きくならないので風量が一定して大きく、排湿ファンにより吸引ヘッドを得ているので別にファンを必要としないものである。
【特許文献１】特開平８−２４０３８６号公報
【発明の開示】
【発明が解決しようとする課題】
【０００４】
しかしながら、回転ドラム内の綿ぼこりを網ベルト（フィルタ部材）で除去するための吸引方向と網ベルトで除去した綿ぼこりをバキューム口で吸引する方向は全くの逆方向であるため、回転ドラム内の綿ぼこりを網ベルトで除去しながら、網ベルトの綿ぼこりをバキューム口で吸引すると、バキューム口の吸引に抗して網ベルト側では回転ドラム内の綿ぼこりを除去するための吸引が行れるため、バキューム口側の吸引が無力化されて弱められ、網ベルトに付着している綿ぼこりの吸引が十分にはできないため改善が望まれていた。
【０００５】
解決しようとする課題は、網ベルトのフィルタ面の微細なリントを十分に除去することができるリント除去装置を提供することを目的とする。
【課題を解決するための手段】
【０００６】
上記課題を解決するために請求項１に記載の発明は、周壁に多数の貫通孔が形成された多孔板からなる回転ドラムに洗濯された衣類を投入して回転させるとともに、回転ドラムの空気通路の出口に配置したファンを回転させて、ヒータからの温かい空気を多数の貫通孔から回転ドラムを通過させて衣類の乾燥を行う乾燥機において、前記回転ドラムの空気に含まれるリント等の綿ぼこりを除去する網目状のフィルタ面を有する網ベルトを備えたフィルタ装置を前記回転ドラムの下流側に配置して前記フィルタ面を通過するように空気通路を形成すると共に、周面にブラシ毛を立設した回転ブラシを前記網ベルトのフィルタ面に当接した状態で高速回転させ、前記フィルタ面のほこりを掻き落として除去するようにしたことを特徴とするリント除去装置である。
【０００７】
また、請求項２に記載の発明は、前記フィルタ装置は、網ベルトの幅方向の両側に長手方向に沿ってガイド部材を所定間隔に設けるとともに、前記網ベルトの走行路の一部において前記網ベルトの下面に前記フィルタ面を通過するように多数の貫通孔が設けられて前記回転ドラムの下流側に空気通路を形成する通気板を有するフィルタ支持体を配置し、該フィルタ支持体の前記通気板の両端または両端近傍に前記ガイド部材を当接または遊嵌して案内支持するガイドレールを設けて、前記通気板上において前記網ベルトが下面を通気板に支持されて前記フィルタ面を安定させて走行するように構成した請求項１に記載のリント除去装置である。
【０００８】
また、請求項３に記載の発明は、前記フィルタ装置は、無端の網ベルトと、一対の枠体間を駆動ローラを含む複数のロ−ラで連結してなる多角柱の骨組み体とからなり、前記骨組み体の前記各ロ−ラの回転面に前記網ベルトの内側を巻き掛けて前記網ベルトを前記骨組み体に装着して、前記一対の枠体間に前記網ベルトによる可動のフィルタ面が設置されるように一体化してカセット化し、このカセット化した前記フィルタ装置を前記回転ドラムの下流側に着脱可能に配置した請求項２に記載のリント除去装置である。
【０００９】
また、請求項４に記載の発明は、前記フィルタ装置は前記網ベルトの幅方向の両側にガイド部材を長手方向に沿って所定間隔に設けるとともに、前記一対の枠体のそれぞれに前記ガイド部材を当接または遊嵌して案内するガイドレールを形成した請求項３に記載のリント除去装置である。
【００１０】
また、請求項５に記載の発明は、前記フィルタ装置は、前記駆動ローラの中央部が端部より大径の太鼓状に形成した請求項３に記載のリント除去装置である。
【００１１】
また、請求項６に記載の発明は、前記フィルタ支持体は前記回転ドラムの下流側に固定され、カセット化した前記フィルタ装置が前記フィルタ支持体に着脱可能に固定された請求項３に記載のリント除去装置である。
【００１２】
また、請求項７に記載の発明は、前記回転ブラシは複数のブラシ毛を回転ロールの直径方向に束ねて貫通させて前記回転ロールの周面に立設させてなるブラシ部を、軸方向に所定間隔に周面から蛇行して複数個所設けて形成した請求項１に記載のリント除去装置である。
【発明の効果】
【００１３】
本発明によれば、回転ブラシを網ベルトのフィルタ面に当接して高速回転させているので、フィルタ面の微細なリントを掻き落として十分に除去することができる。また、網ベルトはガイド部材がガイドレールに案内支持されて安定に走行することができる。また、フィルタ装置はカセット化されているので交換が容易にでき、リント除去装置のフィルタ装置の管理が容易である。
【発明を実施するための最良の形態】
【００１４】
以下、図面に基づいて本発明の実施の形態を説明する。
【実施例１】
【００１５】
図１は本発明に係る実施例１のリント除去装置が組込まれた回転ドラム式乾燥機の正面図、図２は図１の側面図、図３は図１の背面図、図４はリント除去装置の平面図、図５は図４の側面図、図６は回転ドラム式乾燥機のフィルタ室にリント除去装置を取り付ける状態の説明図、図７（ａ）、（ｂ）は図４のガイド部材とガイドレールの説明図である。
【００１６】
図１〜図３において、回転ドラム式乾燥機１は、円形の窓２ａを有する片開きの開閉蓋２を前面の上部に有する筺体３の内部に外胴フレーム４が設けてあり、外胴フレーム４内に間隔をおいて、ステンレス鋼や硬質プラスチック等によって成形され多数の貫通孔（図示省略）が形成された多孔板からなる回転ドラム５が回転自在に設けられている。回転ドラム５は、外胴フレーム４に対する内胴となるもので、前面に円形の投入口６を開口した有底円筒体を横置きした形状であり、洗濯された衣類を収容する。
【００１７】
筺体３の後面の外胴フレーム４には２つの軸受け部７ａ，７ｂを有する軸受け部材７が設けられており、回転ドラム５の後端面から後方に突出した軸５ｂを軸受け部材７の1つの軸受け部７ａに挿通して、回転ドラム５は外胴フレーム４に回転可能に支持され、軸受部７ａから突出した軸５ｂの先端にはプーリ８が固定されている。そして、軸受け部材７のもう1つの軸受け部７ｂには軸９が挿通し、軸９の両端にはプーリ９ａとプーリ９ｂが固定されており、プーリ９ａはプーリ８とベルトを介して連結され、プーリ９ｂはモータ１０のプーリ１０ａにベルトを介して連結されている。本実施形態では、モータ１０やプーリ８，９ａ、９ｂ，１０ａ及びこれらプーリ間を連結する各ベルト等が回転ドラム５の駆動手段として機能する。
【００１８】
回転ドラム５の内周壁には、図示しないが回転中に洗濯された衣類を引っ掛けて撹拌するための撹拌突起が形成されている。この撹拌突起は、回転ドラム５の内周方向に沿って等角度で複数、例えば３〜６箇所に配置されて、洗濯された衣類の分離処理を促進する。この場合、モータ１０をインバーター制御等により可変にすると、衣類の分離処理を効率良く行なうことができる。
【００１９】
外胴フレーム４は回転ドラム５に沿う円筒形外胴部４ａの上部が軸方向に開口して空気入口４ｂを構成し、外胴部４ａの下部が軸方向に開口して空気出口４ｃを構成している。空気入口４ｂの上部には電気発熱抵抗体或はガスバーナー等のヒータ１１ａ，１１ｂが設けられ、空気入口４ｂに温かい空気を供給できるようになっている。そして、空気出口４ｃの下流側の空気通路を塞ぐように外胴フレーム４の軸方向の中央の両側は仕切り部材１２，１３で仕切ってあり、回転ドラム５の下流側に位置する空気出口４ｃの先端には四角い開口１３ａが形成され、開口１３ａの下部は、両側が仕切り部材１２，１３で仕切られたフィルタ室２３となっている。
【００２０】
フィルタ室２３においては、開口１３ａに網目状のフィルタ面２４ａを合致させてフィルタ装置３０が配置されている。そして、開口１３ａに合致させたフィルタ面２４ａの下流はファンモータ２０ａで回転するファン２０の空気通路２１に連通し、さらに、ファン２０を被って取り付けたファンケース２０ｂに設けられた排気口２２に連通して、回転ドラムの下流側から網目状のフィルタ面２４ａを通過して排気口２２から排気される空気通路が形成されている。したがって、回転ドラム５の空気が空気通路２１を通って排気口２２から排気される際に、網ベルト２４のフィルタ面２４ａは、回転ドラム５の空気に含まれるリント等の綿ぼこりを除去する。
【００２１】
次に、図４〜図７を参照して、フィルタ室２３におけるフィルタ装置３０の取り付け構造について説明する。フィルタ室２３には、多数の貫通孔２５が設けられた通気板２６が奥の壁面２３ａから前面側に突出して水平に固定されており、また、通気板２６の前端から垂直に垂れ下がって舟型の前面板２７が通気板２６の前端に溶接等により固定されている。これら通気板２６と前面板２７とはフィルタ支持体２８を構成している。
【００２２】
また、フィルタ装置３０は、樹脂製または金属製の４本のフレーム４１〜４４が各端部でネジ止めにより連結されて略台形状の枠体４０が形成され、同様に、樹脂製または金属製の４本のフレーム５１〜５４が各端部でネジ止めにより連結されて台形状の枠体５０が形成されている。各枠体４０，５０は、それぞれの対応する角部同士で、長軸の駆動ローラ３１、従動ローラ３２，３３，３４で連結され、各枠体４０，５０は、枠面同士が離間して配置され、台形状の四角柱の骨組み体３５に形成されている。なお、駆動ローラ３１は中央部が端部より大径の太鼓状に形成されている。また、枠体４０において、補強用フレーム４５は、上下のフレーム４１，４３を交差方向に接続している。
【００２３】
なお、実施例１では、骨組み体３５の一対の枠体４０，５０は、それぞれ複数本のフレームを連結して形成したものを説明したが、一対の枠体４０，５０は単一に形成した枠体でもよいことはもちろんである。
【００２４】
また、骨組み体３５の各ロ−ラ３１〜３４の回転面には、無端の網ベルト２４の内側が巻き掛けられて骨組み体３５に装着されて、一対の枠体４０，５０間に網ベルト２４による可動のフィルタ面２４ａが設置されるように一体化されてカセット化され、網ベルト２４が一対の枠体４０，５０に沿って走行可能に構成されている。また、骨組み体３５の駆動ロ−ラ３１と従動ロ−ラ３４が両端に取り付けられるフレーム４４，５４の中央部には、テンションロ−ラ３６を取り付けている。テンションロ−ラ３６は、コイルバネ３７によりテンションロ−ラ３６を枠体４０，５０の内部方向に引っ張って、網ベルト２４を駆動ロ−ラ３１の手前の位置で外側から圧接して駆動ロ−ラ３１の周面に網ベルト２４が十分に巻き付くように付勢するものである。また、駆動ローラ３１は中央部が端部より大径の太鼓状に形成されているので、網ベルト２４が駆動ローラ３１から外れにくく、網ベルト２４は安定して走行する。
【００２５】
フィルタ室２３の奥の壁面２３ａから前面側に突出して設けられたフィルタ支持体２８の通気板２６および前面板２７には、枠体５０を奥側にしてフィルタ装置３０が嵌め込まれる。そして、手前側の枠体４０の各フレーム４１〜４４を前面板２７に衝合して、枠体４０は蝶ネジ３８，３８により前面板２７に固定されて、フィルタ支持体２８にフィルタ装置３０が取り付けられる。このようにして、フィルタ室２３内にカセット化れたフィルタ装置３０が回転ドラム５の下流側に着脱可能に配置される。このとき、駆動ローラ３１の図示しない電気ケーブルは回転ドラム式乾燥機１の制御回路に接続されて、駆動ローラ３１は、回転ドラム式乾燥機１の作業終了後に制御回路により制御されて一定時間駆動される。
【００２６】
また、一対の枠体４０，５０は、駆動ローラ３１と従動ローラ３２が両端に取り付けられる上部フレーム４１、５１の長さが最長であり、上部フレーム４１、５１は網ベルト２４の上部走行路を形成している。この上部走行路において、網ベルト２４は、回転ドラム５の下流側の開口１３ａに網目状のフィルタ面２４ａを合致させて走行する。上部走行路においては、網ベルト２４の下面にフィルタ支持体２８の通気板２６が配置される。
【００２７】
網ベルト２４の幅方向の両側には、長手方向に沿って下部に突出して複数個のガイド部材２９が所定間隔に設けられている。そして、網ベルト２４が走行するときにガイド部材２９の先端部分２９ａは、通気板２６の両端の側壁２６ａに当接して走行する。この場合、上部走行路において、通気板２６の両端の側壁２６ａ，２６ａは、ガイド部材２９を案内支持するガイドレールとして機能し、通気板２６上を走行する網ベルト２４は下面を通気板２６に支持されてフィルタ面２４ａを安定させて走行する。また、通気板２６をガイドレールとして機能させる代わりに、通気板２６の両端の近傍に配置される一対の枠体４０，５０の上部フレーム４１、５１に上部に開口し、ガイド部材２９の先端部分２９ａを遊嵌して網ベルト２４を移動可能に案内する溝部４１ａ，５１ａを設けてガイドレールとして機能させてもよい。
【００２８】
フィルタ室２３にフィルタ装置３０を取り付けたら、フィルタ装置３０には、従動ローラ３２に略平行に周面にブラシ毛６１を立設した回転ブラシ６０が取り付けられる。回転ブラシ６０は、複数のブラシ毛６１を回転ロール６２の直径方向に貫通して回転ロール６２の軸方向の対向する両側の周面に立設させてなるブラシ部６１ａを、軸方向に所定間隔に周面から蛇行して複数個所設けたもので、複数のブラシ部６１ａは軸方向の中央から両側に向って対称に螺旋状に設けられている。回転ブラシ６０は、モータ６３の回転軸６４に軸支されて回転する。回転ブラシ６０をフィルタ装置３０に取り付けるには、取り付け金具６５にモータ６３を取り付けておき、回転ブラシ６０の一端６０ａをモータ６３の回転軸６４に同軸に取り付けた状態で、回転ブラシ６０の他端６０ｂをフレーム５１の従動ローラ３２の取り付け位置の近傍に回動可能に取り付け、取り付け金具６５を枠体４０のフレーム４１の従動ローラ３２の取り付け位置の近傍に取り付けてモータ６３を固定することで、回転ブラシ６０は従動ローラ３２に略平行に取り付けられる。
【００２９】
また、フィルタ室２３の回転ブラシ６０の下部には上部に開口を有し、通気性部材で形成されたリントボックス７０が、回転ブラシ６０の配置された領域の下側に落下するリントを、開口で受けるように配置されている。
【００３０】
次に、フィルタ装置３０の動作について説明する。フィルタ装置３０は、空気出口４ｃの先端の開口１３ａに合致されて回転ドラム式乾燥機１の作業終了時に、フィルタとして使用されているので、回転ドラム式乾燥機１の作業終了の都度、モータ６３が駆動されて駆動ローラ３１が回転して、フィルタとして使用された網ベルト２４のフィルタ面２４ａを、移動させて開口１３ａに合致する位置に不使用なフィルタ面２４ａを設定する。
【００３１】
同時に、回転ドラム式乾燥機１の作業終了の都度、回転ブラシ６０は上部走行路から従動ローラ３２の位置に送り出されてくる使用された網ベルト２４のフィルタ面２４ａに当接して一定時間、高速回転（１８００ｒｐｍ）する。複数のブラシ毛６１は高速回転しながらフィルタ面２４ａに当接して、フィルタ面２４ａの綿ぼこりを強制的に掻き落す。これにより、従動ローラ３２の近傍の位置において、使用された網ベルト２４のフィルタ面２４ａでは、回転ブラシ６０によりフィルタ面２４ａに残っている微細なほこりが除去される。そして除去されたほこりは、自重により落下して回転ブラシ６０の下に配置されたリントボックス７０に回収される。
【実施例２】
【００３２】
図８は本発明に係る実施例２のリント除去装置が組込まれた回転ドラム式乾燥機の正面図である。実施例２が実施例１と異なる点は、フィルタ装置３０を構成する網ベルトが巻取り式である点である。ここでは、網ベルト７４の構成について説明する。
【００３３】
実施例２では、網ベルト７４が何重にも巻かれた供給ロール７５から網ベルト７４が供給され、第１ガイドロール７５ａに張り渡されて下側に巻き付けられて折返される。そして、第１ガイドロール７５ａで折返された網ベルト７４は、第２ガイドロール７５ｂで支持され、巻き取りロール７５ｃに供給されて、巻き取りロール７５ｃで巻き取られるように構成されている。
【００３４】
網ベルト７４が張り渡されて折返される第１ガイドロール７５ａの外部の下側には、網ベルト７４のフィルタ面７４ａに当接させて回転ブラシ６０が配置されている。
【００３５】
また、上部に開口を有し、通気性部材で形成されたリントボックス７０が、回転ブラシ６０の配置された領域の下側に落下するリントを、開口で受けるように第１ガイドロール７５ａの下に配置されている。
【００３６】
巻き取りロール７５ｃは、その駆動軸が正逆回転可能なモータ７６の駆動軸７６ａとベルト７６ｂで連結されていて、モータ７６により駆動される。また、供給ロール７５も正逆回転可能なモータ７７により駆動される。
【００３７】
初期状態では、供給ロール７５には網ベルト７４が、何重にも巻かれている。そして、回転ドラム式乾燥機１の作業終了の都度、モータ７６，７７を正回転させ、空気出口４ｃの先端の開口１３ａに合致させている網ベルト７４のフィルタ面７４ａを移動させる。このようにして、回転ドラム式乾燥機１の作業終了の都度、フィルタとしての使用が終了した網ベルト７４を一定長さ巻き取り、開口１３ａには、フィルタとして不使用な網ベルト７４の面を設定する。したがって、モータ７６，７７は断続的に正回転し、網ベルト７４の巻き取り動作は間欠的に行われる。また、第１ガイドロール７５ａの外部の下側に設けた回転ブラシ６０は、回転ドラム式乾燥機１の作業終了の都度、第１ガイドロール７５ａの位置に送り出されてくる使用された網ベルト７４のフィルタ面７４ａに当接して一定時間、高速回転（１８００ｒｐｍ）する。複数のブラシ毛６１は高速回転しながら網ベルト７４のフィルタ面７４ａに当接して、フィルタ面７４ａの綿ぼこりを強制的に掻き落す。
【００３８】
巻き取りロール７５ｃに網ベルト７４を間欠的に巻き取る動作により網ベルト７４を所定量巻き取り、供給ロール７５に網ベルト７４の残りが無くなってくると、モータ７６，７７を逆回転させて網ベルト７４を供給ロール７５に巻き戻す。供給ロール７５が初期状態に巻き戻された後、網ベルト７４の最初から、再び巻き取り動作が開始されて、以下、同様の動作を繰り返す。これら、回転ブラシ６０にて除去されたほこりは、自重により落下して第１ガイドロール７５ａの下に配置されたリントボックス７０に回収される。
【００３９】
以上説明したように本発明では、網ベルトを備えたフィルタ装置を回転ドラムの下流側に配置して網ベルトのフィルタ面を通過するように空気通路を形成すると共に、周面にブラシ毛を立設した回転ブラシを網ベルトのフィルタ面に当接した状態で高速回転させ、フィルタ面のほこりを掻き落として除去するから、網ベルトのフィルタ面の微細なリントを十分に除去することができる。
【産業上の利用可能性】
【００４０】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００４１】
【図１】実施例１のリント除去装置が組込まれた回転ドラム式乾燥機の正面図である。
【図２】図１の側面図である。
【図３】図１の背面図である。
【図４】実施例１のリント除去装置の平面図である。
【図５】図４の側面図である。
【図６】回転ドラム式乾燥機に実施例１のリント除去装置を取り付ける状態の説明図である。
【図７】（ａ）、（ｂ）は図４のガイド部材とガイドレールの説明図である。
【図８】実施例２のリント除去装置が組込まれた回転ドラム式乾燥機の正面で図ある。
【符号の説明】
【００４２】
１  回転ドラム式乾燥機
２  開閉蓋
２ａ  円形の窓
３  筺体
４  外胴フレーム
４ａ  外胴部
４ｂ  空気入口
４ｃ  空気出口
５  回転ドラム
５ｂ，９  軸
６  投入口
７  軸受け部材
７ａ，７ｂ  軸受け部
８，９ａ，９ｂ，１０ａ  プーリ
１０，７６，７７  モータ
１１ａ，１１ｂ  ヒータ
１２，１３  仕切り部材
１３ａ  開口
２０  ファン
２０ａ  ファンモータ
２０ｂ  ファンケース
２１  空気通路
２２  排気口
２３  フィルタ室
２３ａ  壁面
２４，７４  網ベルト
２４ａ，７４ａ  フィルタ面
２５  貫通孔
２６  通気板
２６ａ  通気板２６の側壁
２７  前面板
２８  フィルタ支持体
２９  ガイド部材
２９ａ  ガイド部材２９の先端部分
３０  フィルタ装置
３１  駆動ローラ
３２，３３，３４  従動ローラ
３５  骨組み体
３６  テンションロ−ラ
３７  コイルバネ
３８  蝶ネジ
４０，５０  枠体
４１〜４４，５１〜５４  フレーム
４１ａ，５１ａ  溝部
４５  補強用フレーム
６０  回転ブラシ
６０ａ  回転ブラシ６０の一端
６０ｂ  回転ブラシ６０の他端
６１  ブラシ毛
６１ａ  ブラシ部
６３，７６，７７  モータ
６４  回転軸
６５  取り付け金具
７０  リントボックス
７５  供給ロール
７５ａ  第１ガイドロール
７５ｂ  第２ガイドロール
７５ｃ  巻き取りロール
７６ａ  駆動軸
７６ｂ  ベルト
【図１】
2006271829.tif 000003
【図２】
2006271829.tif 000004
【図３】
2006271829.tif 000005
【図４】
2006271829.tif 000006
【図５】
2006271829.tif 000007
【図６】
2006271829.tif 000008
【図７】
2006271829.tif 000009
【図８】
2006271829.tif 000010